(57)【要約】  【課題】  簡単な構成で、異音の発生やチャッキングミスを防止することが可能なディスククランプ装置を提供する。  【解決手段】  クランパホルダー１のハウジング１ａの下部内周縁部全周に、上方に開口するテーパ面１ａａを設けている。そしてこれにより、クランパ２を案内してセンタリングする構成としている。具体的には、クランパ２がセンター位置に対してずれた場合、そのフランジ部２ａがテーパ面１ａａに乗り上げた状態となるが、このテーパ面１ａａに沿って滑り落ちるので、これによりクランパ２が自動的にセンタリングされる仕組みである。【選択図】      図２
2007058897.tif 000002
【特許請求の範囲】
【請求項１】
回転操作されるターンテーブルとの間にディスクをクランプして該ターンテーブル及び
該ディスクと共に回転するクランパと、該クランパをハウジングに遊挿させ回転自在に保
持するクランパホルダーとを備えたディスククランプ装置において、
前記ハウジングの内周縁部に、上方に開口するテーパ面を設け、前記クランパの外周縁
部より突設するフランジ部が前記テーパ面に沿って滑り落ちることにより、前記クランパ
がセンタリングされるようにしてなり、
前記クランパは、前記ターンテーブルとの間にディスクを磁力によりクランプするか、
或いは該クランパの上面中心部に突起を設け、該突起を下方に付勢することによりクラン
プ力を発生させ、該クランプ力により前記ターンテーブルとの間にディスクをクランプし
て、該ターンテーブル及び該ディスクと共に回転することを特徴とするディスククランプ
装置。
【請求項２】
回転操作されるターンテーブルとの間にディスクをクランプして該ターンテーブル及び
該ディスクと共に回転するクランパと、該クランパをハウジングに遊挿させ回転自在に保
持するクランパホルダーとを備えたディスククランプ装置において、
前記ハウジングの内周縁部に、上方に開口するテーパ面を設け、該テーパ面に案内され
て前記クランパがセンタリングされるようにしたことを特徴とするディスククランプ装置
。
【請求項３】
前記クランパは、前記ターンテーブルとの間にディスクを磁力によりクランプして、該
ターンテーブル及び該ディスクと共に回転することを特徴とする請求項２に記載のディス
ククランプ装置。
【請求項４】
前記クランパは、その上面中心部に突起を設け、該突起を下方に付勢することによりク
ランプ力を発生させ、該クランプ力により前記ターンテーブルとの間にディスクをクラン
プして、該ターンテーブル及び該ディスクと共に回転することを特徴とする請求項２に記
載のディスククランプ装置。
【発明の詳細な説明】
【技術分野】
【０００１】
本発明は、ディスククランプ装置に関するものであり、特に、スピンドルモータによっ
て回転するディスクを保持するためのディスククランプ装置に関するものである。
【背景技術】
【０００２】
従来より、ＣＤやＤＶＤ等に代表される光ディスク等の駆動装置には、スピンドルモー
タによって回転するディスクを保持するためのディスククランプ装置が用いられている。
図３は、従来のディスククランプ装置の一例を示す図であり、同図（ａ）は平面図、同図
（ｂ）は左側面断面図である。同図に示すように、略長板状のクランパホルダー１００の
中央部には、略円形のハウジング１００ａが設けてあり、これに略円板状のクランパ１０
１が遊挿され回転可能に取り付けられている。なお、同図（ａ）はハウジング１００ａ内
部に設けられたクランパ１０１を透視した状態で描いてある。
【０００３】
具体的には、ハウジング１００ａの下部内周縁部の複数個所より内側へ突設する係合部
１００ｂに、クランパ１０１の外周縁部全周より外側へ突設するフランジ部１０１ａが係
合している。この場合、図示しないターンテーブルとの間でディスクのチャッキングが行
われたときは、ターンテーブルに押し上げられてクランパ１０１が浮き上がり、そのフラ
ンジ部１０１ａが前記係合部１００ｂから離れて、クランパ１０１が回転自在となる。一
方、ハウジング１００ａの上部には天井部１００ｃが設けられており、ハウジング１００
ａからクランパ１０１が飛び出さないようになっている。
【０００４】
図４は、上記従来のターンテーブルとクランパの形状を示す拡大縦断面図である。同図
ではターンテーブル１０２の直上にクランパ１０１が位置した状態で描いてある。上述し
たように、クランパ１０１の外周縁部全周より外側へフランジ部１０１ａが突設している
。また、クランパ１０１の外周縁部より下方に向かって、リング状のクランプ部１０１ｂ
が延びている。このクランプ部１０１ｂとターンテーブル１０２上面との間で図示しない
ディスクをクランプする。
【０００５】
さらに、クランパ１０１の周辺部と中心部との間には、下面の複数個所より下方に向か
ってフック部１０１ｃが延びている。このフック部１０１ｃには図示しないマグネットが
係合保持され、これによりディスクのクランプ力を生じさせる。加えて、クランパ１０１
の中心部には、下面より下方に向かって柱状のボス１０１ｄが延びており、これによりタ
ーンテーブル１０２との調芯を行う。
【０００６】
一方、略円板状のターンテーブル１０２の上面中心部には、ディスクの中心孔と嵌合す
る嵌合部１０２ａが突設している。この嵌合部１０２ａの上部外周縁部には、テーパ面１
０２ａａが設けられており、これにより前記ディスクの中心孔を案内して、嵌合部１０２
ａと嵌合しやすくしている。なお、嵌合部１０２ａの周辺部と中心部との間には、リング
状の例えば鉄等よりなる吸着板１０３が埋め込んである。そしてこれにより、上記マグネ
ットとの間で磁性によるクランプ力を発生させ、ディスクをクランプする。
【０００７】
さらに、ターンテーブル１０２の下面中心部には柱状のボス１０２ｂが突設しており、
その中心には図示しないスピンドルモータの回転軸が嵌合する軸孔１０２ｂａが開けられ
ている。この軸孔１０２ｂａは、上記嵌合部１０２ａの中心に開けられた嵌合孔１０２ａ
ｂと連通しており、この嵌合孔１０２ａｂには、ディスクのクランプ時に上記クランパ１
０１のボス１０１ｄが嵌合し、ターンテーブル１０２との間で調芯を行う。なお、嵌合孔
１０２ａｂの上部はテーパ状に開口しており、ボス１０１ｄを案内して嵌合しやすくして
いる。
【０００８】
その他、クランパの回転軸とターンテーブルの回転軸のずれを補償する為の間隔をとる
ことなく、正確にクランパの回転軸をターンテーブルの回転軸に位置決めすることができ
るとしたディスク再生装置が、特許文献１に記載されている。
【０００９】
具体的には、クランパ保持手段にクランパ保持孔部を設けてクランパを貫通させ、該ク
ランパにはその外形面にテーパを形成して、一部貫通させた時に、テーパに前記クランパ
保持孔部を接触、すなわちクランパ保持孔部の稜線を接触させて自動調芯せしめ、このよ
うな状態を形成してクランパとターンテーブルとを契合するようにして、正確にクランパ
の回転軸をターンテーブルの回転軸に位置決めする構成としている。
【００１０】
また、ディスクの偏重心に起因する高速回転中の遠心力による横滑りを解決して、高速
回転で使用しても、強固にセンタリングを維持するとしたディスククランプ機構が、特許
文献２に開示されている。
【００１１】
具体的には、スピンドルモータの回転軸に固着されたターンテーブルの中心部に設けて
メディアディスクの中心孔周縁を押圧する押圧部によりメディアディスクをセンタリング
するとともに、クランパによりメディアディスクをターンテーブルに押圧してクランプす
るディスククランプ機構において、前記クランパには、前記メディアディスクの中心孔周
縁を押圧する突部を設ける構成としている。
【００１２】
また、大型化やコストアップ等することなく高速回転化に確実に対処できるとしたクラ
ンプ機構及びディスク装置が、特許文献３に開示されている。具体的には、ディスクをタ
ーンテーブルに搭載するとき、センタハブがクランパから下方に突出しないようにする一
方、ディスクがターンテーブルに搭載されたとき、センタハブがクランパから下方に突出
するように構成している。
【００１３】
また、クランパ調芯機構が装置の薄型化を阻害せず、かつ、クランプ動作時に耳障りな
異音を発生しないとしたディスク駆動装置が、特許文献４に開示されている。具体的には
、駆動モータの回転軸の周囲に、該回転軸の軸線方向に沿って昇降自在に弾性支持された
クランパ調芯用ハブを設け、クランプ動作時にクランパが該クランパ調芯用ハブを押し込
むと、該クランパ調芯用ハブが弾性的に下降しながらそのテーパ面をガイド面としてクラ
ンパをセンタリングする構成としている。
【特許文献１】特開２００４−１１８９６２号公報
【特許文献２】特開２００３−２０３４１０号公報
【特許文献３】特開２００３−１５７６００号公報
【特許文献４】特開２００２−２６９８７８号公報
【発明の開示】
【発明が解決しようとする課題】
【００１４】
しかしながら、上記図３及び図４に示したような従来の構成では、クランパ１０１がセ
ンター位置に対してずれやすい構造であるため、ディスクのチャッキング時にクランパ１
０１が例えばターンテーブル１０２の嵌合部１０２ａに乗り上げるということがあった。
この場合、チャッキングが進行してクランパ１０１が嵌合部１０２ａに乗り上げたままタ
ーンテーブル１０２により持ち上げられ、クランパ１０１がクランパホルダー１００の天
井部１００ｃに当接していた。
【００１５】
このとき、クランパ１０１が天井部１００ｃに押し下げられる状態となり、続いてクラ
ンパ１０１がターンテーブル１０２に勢いよく吸着されるので、ここで異音が発生する。
このような異音が発生すると、ユーザーに不快感を与えるのみならず、ディスクに傷が付
いたりクランパやターンテーブルが摩耗したりするおそれがある。また、ディスクが正常
にクランプされず、チャッキングミスを引き起こす場合もある。
【００１６】
その他、上記各特許文献に記載のような構成では、ターンテーブルとクランパとの調芯
を行うのみであり、クランパ自身の位置ずれによる異音の発生やチャッキングミスを防止
するような構成とはなっていない。本発明は、このような問題点に鑑み、簡単な構成で、
異音の発生やチャッキングミスを防止することが可能なディスククランプ装置を提供する
ことを目的とする。
【課題を解決するための手段】
【００１７】
上記目的を達成するために、本発明では、回転操作されるターンテーブルとの間にディ
スクをクランプして該ターンテーブル及び該ディスクと共に回転するクランパと、該クラ
ンパをハウジングに遊挿させ回転自在に保持するクランパホルダーとを備えたディスクク
ランプ装置において、前記ハウジングの内周縁部に、上方に開口するテーパ面を設け、該
テーパ面に案内されて前記クランパがセンタリングされるようにしたことを特徴とする。
【００１８】
また、前記クランパは、前記ターンテーブルとの間にディスクを磁力によりクランプし
て、該ターンテーブル及び該ディスクと共に回転することを特徴とする。
【００１９】
或いは、前記クランパは、その上面中心部に突起を設け、該突起を下方に付勢すること
によりクランプ力を発生させ、該クランプ力により前記ターンテーブルとの間にディスク
をクランプして、該ターンテーブル及び該ディスクと共に回転することを特徴とする。
【発明の効果】
【００２０】
本発明によれば、簡単な構成で、異音の発生やチャッキングミスを防止することが可能
なディスククランプ装置を提供することができる。
【発明を実施するための最良の形態】
【００２１】
以下、本発明の実施の形態について、図面を参照しながら説明する。
【実施例１】
【００２２】
図１は、本発明の実施例１に係るディスククランプ装置を示す図であり、同図（ａ）は
平面図、同図（ｂ）は正面断面図である。同図に示すように、略長板状のクランパホルダ
ー１の中央部には、略円形のハウジング１ａが設けてあり、これに略円板状のクランパ２
が遊挿され回転可能に取り付けられている。なお、クランパホルダー１及びクランパ２の
材質としては樹脂を想定しているが、可能であれば金属等であっても構わない。
【００２３】
具体的には、ハウジング１ａの下部内周縁部全周より内側へ突設するリング状の受け部
１ｂに、クランパ２の外周縁部全周より外側へ突設するフランジ部２ａが係合している。
この場合、図示しないターンテーブルとの間でディスクのチャッキングが行われたときは
、ターンテーブルに押し上げられてクランパ２が浮き上がり、そのフランジ部２ａが前記
受け部１ｂから離れて、クランパ２が回転自在となる。
【００２４】
図２は、図１（ｂ）のＡ部拡大図であり、正面拡大断面図である。本実施例では、同図
に示すように、ハウジング１ａの下部内周縁部全周に、上方に開口するテーパ面１ａａを
設けている。これは、受け部１ｂの根元部に位置している。そしてこれにより、クランパ
２を案内してセンタリングする構成としている。具体的には、クランパ２がセンター位置
に対してずれた場合、そのフランジ部２ａがテーパ面１ａａに乗り上げた状態となるが、
このテーパ面１ａａに沿って滑り落ちるので、これによりクランパ２が自動的にセンタリ
ングされる仕組みである。但し、テーパ面１ａａは必ずしも全周に設けなくとも良い。
【００２５】
このように、クランパ２が予めセンタリングされていると、チャッキング動作が行われ
ても、クランパ２がターンテーブル（不図示）の嵌合部に乗り上げることなく、スムーズ
なクランプを行うことができる。従って、異音の発生やチャッキングミスを確実に防止す
ることが可能となる。なお、本実施例におけるクランパ２内部の構造や、ターンテーブル
の構造については、図示を省略している。
【００２６】
また、本実施例では、図２に示したように、クランパ２の上面中心部に突起２ｂを設け
ており、この頂点を図示しない弾性部材等で下方に付勢することにより、ターンテーブル
との間でクランプ力を発生させる構成となっている。但し、このような構成に限定される
ものでは勿論なく、上記従来のようにマグネット及び吸着板によりクランプ力を発生させ
るようにしても構わない。
【００２７】
以上説明したように、本発明によれば、クランパをテーパ面により案内してセンタリン
グするという簡単な構成で、異音の発生やチャッキングミスを防止することが可能なディ
スククランプ装置を提供することができる。
【図面の簡単な説明】
【００２８】
【図１】本発明の実施例１に係るディスククランプ装置を示す図。
【図２】図１（ｂ）のＡ部拡大図。
【図３】従来のディスククランプ装置の一例を示す図。
【図４】従来のターンテーブルとクランパの形状を示す拡大縦断面図。
【符号の説明】
【００２９】
１    クランパホルダー
１ａ    ハウジング
１ａａ    テーパ面
１ｂ    受け部
２    クランパ
２ａ    フランジ部
２ｂ    突起
【図１】
2007058897.tif 000003
【図２】
2007058897.tif 000004
【図３】
2007058897.tif 000005
【図４】
2007058897.tif 000006